(57)【要約】【課題】てるてるぼうず形のマスコットを簡便に作成可能な玩具を提供すること。【解決手段】頭部Ｈを構成する芯材３４と、芯材３４を覆うように被せられる可撓性を有したシート体４０と、芯材３４の周囲に被せられたシート体４０を芯材３４の下端付近で絞るための紐状部材４２と、を備えるてるてるぼうず形のマスコットＭを作成するための玩具１。設置面に設置可能な底面を有した台座部４と、台座部４から上方に向かって突出するように延びる支柱部５と、を備えた保持台３を備える。支柱部５が、上端側で、芯材３４を着脱可能に保持する構成とされている。【選択図】図１９
2013085720.tif 000002
【特許請求の範囲】
【請求項１】
頭部を構成する芯材と、該芯材を覆うように被せられる可撓性を有したシート体と、前記芯材の周囲に被せられたシート体を前記芯材の下端付近で絞るための紐状部材と、を備えるてるてるぼうず形のマスコットを作製するための玩具であって、
設置面に設置可能な底面を有した台座部と、台座部から上方に向かって突出するように延びる支柱部と、を備えた保持台を備え、
該支柱部が、上端側で、前記芯材を着脱可能に保持する構成とされていることを特徴とするマスコット作製玩具。
【請求項２】
前記支柱部の上端側に、前記芯材に形成される１つの凹部に挿入可能に、上方に突出する１つの突起部が、形成されていることを特徴とする請求項１に記載のマスコット作製玩具。
【請求項３】
前記マスコット作製玩具が、前記シート体を前記支柱部側に向かって移動させて縮径させるように、前記シート体における前記芯材の下端側に位置する領域の外周側を押え可能な押え部材を、備えていることを特徴とする請求項１又は２に記載のマスコット作製玩具。
【請求項４】
前記押え部材が、
軸方向を前記支柱部に略沿わせるような略筒状として前記シート体の外周側を覆い可能に構成される周壁と、該周壁の上端側を塞ぐように配置されるとともに前記シート体を被せた状態の前記芯材を挿通可能な開口を有する構成の天井壁と、を有するカバー部と、
該カバー部内における前記天井壁の下面近傍に配置される一対の挟持片部と、
を備える構成とされて、
該各挟持片部が、
前記天井壁の下面側に隣接して配置されるとともに、略円弧状に湾曲して構成される押え片と、
該押え片の元部側において、前記周壁の軸方向に沿って相互に重なるように配置されるとともに、前記周壁の軸方向に沿って配置される回動軸に軸支される軸支部と、
該軸支部から前記カバー部外に突出するように延びる把持片と、
を備えて、
前記回動軸を中心として、先端を相互に離隔可能に回動可能とされるとともに、前記回動軸の周囲に配置される付勢手段により、先端相互を当接させるように付勢される構成とされ、
前記各押え片間の離隔距離が、先端相互を当接させた状態で、前記開口の幅寸法より小さくして、前記シート体の外周側を押え可能な寸法に設定され、前記把持片を把持して先端相互を離隔させた状態で、前記シート体を被せた状態の前記芯材を挿通可能な寸法に、設定されていることを特徴とする請求項３に記載のマスコット作製玩具。
【請求項５】
前記各押え片の内縁に、一部を部分的に内周側に向かって突出させるような凹凸が、連続的に略全周にわたって形成されていることを特徴とする請求項４に記載のマスコット作製玩具。
【請求項６】
請求項１に記載のマスコット作製玩具を用いて、てるてるぼうず形のマスコットを作製可能なマスコット作製キットであって、
前記マスコット作製玩具と、前記芯材と、前記シート体と、前記紐状部材と、を備えていることを特徴とするマスコット作製キット。
【請求項７】
請求項２に記載のマスコット作製玩具を用いて、てるてるぼうず形のマスコットを作製可能なマスコット作製キットであって、
前記マスコット作製玩具と、前記芯材と、前記シート体と、前記紐状部材と、を備える構成とされ、
前記芯材が、芯材本体と、該芯材本体の下端側から下方に突出するように形成されて、下方を開口させた略円筒状の首部と、を有し、該首部の内周側を、前記凹部として、前記支柱部に形成される前記突起部を挿入可能な構成とされ、
前記首部の下端側に、外周側に向かって突出するフランジ部が、前記首部の周方向の全域にわたって、形成されていることを特徴とするマスコット作製キット。
【請求項８】
前記芯材が、前記支柱部に対して保持させた際における上端側に、前記シート体に形成される挿通孔に挿通可能な突出部を、配設させていることを特徴とする請求項６または７に記載のマスコット作製キット。
【請求項９】
前記突出部が、開口を有したリング状とされていることを特徴とする請求項８に記載のマスコット作製キット。
【請求項１０】
前記芯材が、内部を中空として、開閉可能に構成されていることを特徴とする請求項６乃至９のいずれか１項に記載のマスコット作製キット。
【請求項１１】
前記紐状部材が、紐状体と、該紐状体の両端側をそれぞれ係止可能とされる１枚の止め板と、を備える構成とされ、
前記紐状体が、ゴム状弾性を有して伸縮可能とされる紐本体と、該紐本体の両端側においてそれぞれ膨出するように配置される係止突起と、を有し、
前記止め板が、前記紐本体における前記係止突起近傍の両端側を、挿通可能な溝部を有し、該溝部の周縁において、前記係止突起を係止可能に構成されていることを特徴とする請求項６乃至１０のいずれか１項に記載のマスコット作製キット。 
【発明の詳細な説明】
【技術分野】
【０００１】
本発明は、頭部を構成する芯材と、芯材を覆うように被せられる可撓性を有したシート体と、芯材の周囲に被せられたシート体を芯材の下端付近で絞るための紐状部材と、を備えるてるてるぼうず形のマスコットを作製するための玩具、及び、マスコット作製キットに関する。
【背景技術】
【０００２】
従来、小学生の間等では、持ち物につけたり、友達と交換したりするために、マスコットやぬいぐるみ等を手作りしていた。しかしながら、マスコットやぬいぐるみを作製するためには、布を裁断したり、針と糸を使用して縫ったりする等の煩雑な作業が必要である。
【０００３】
そして、従来には、ぬいぐるみを簡便に作製するための玩具があった（例えば、特許文献１，２参照）。
【先行技術文献】
【特許文献】
【０００４】
【特許文献１】特開２００５−３４４５１公報
【特許文献２】特開２００５−６６１３１公報
【発明の概要】
【発明が解決しようとする課題】
【０００５】
しかし、てるてるぼうず形のマスコットを簡単に作製するための玩具は、従来には存在しなかった。そこで、本発明者は、てるてるぼうずの形に着目し、かわいらしいてるてるぼうず形のマスコットを、簡単に作製できるように、鋭意努力して、本願発明のマスコット作製玩具に至ったものである。
【０００６】
本発明は、上述の課題を解決するものであり、てるてるぼうず形のマスコットを簡便に作製可能な玩具を提供することを目的とする。
【課題を解決するための手段】
【０００７】
本発明に係るマスコット作製玩具は、頭部を構成する芯材と、芯材を覆うように被せられる可撓性を有したシート体と、芯材の周囲に被せられたシート体を芯材の下端付近で絞るための紐状部材と、を備えるてるてるぼうず形のマスコットを作製するための玩具であって、
設置面に設置可能な底面を有した台座部と、台座部から上方に向かって突出するように延びる支柱部と、を備えた保持台を備え、
支柱部が、上端側で、芯材を着脱可能に保持する構成とされていることを特徴とする。
【０００８】
本発明のマスコット作製玩具は、台座部から上方に向かって延びる支柱部を備え、支柱部が、上端側で、マスコットの頭部を構成する芯材を着脱可能に保持する構成であることから、支柱部の上端側に芯材を保持させた状態で、シート体を、芯材に被せ、芯材の下端付近でシート体を絞るように、紐状部材をシート体の周囲に巻き付けて両端側を相互に連結させ、シート体の下端側の領域で胴体を作製し、その後、芯材を支柱部から取り外せば、てるてるぼうず形のマスコットを作製することができる。すなわち、本発明のマスコット作製玩具は、支柱部に芯材を保持させておくことができることから、芯材の下端付近で、シート体の周囲に紐状部材を巻き付ける際に、芯材を手で持つ必要がなく、紐状部材のみを把持して作業すればよいことから、小学生でも、簡単に作業することができ、簡便に、てるてるぼうず形のマスコットを作製することができる。
【０００９】
したがって、本発明のマスコット作製玩具では、てるてるぼうず形のマスコットを簡便に作製することができる。
【００１０】
また、本発明のマスコット作製玩具において、支柱部の上端側に、芯材に形成される１つの凹部に挿入可能に、上方に突出する１つの突起部を、形成する構成とすれば、芯材側に突起を設けて支柱部側に凹部を設ける場合と比較して、芯材を支柱部にセットする際に、支柱部の突起部を視認しやすく、また、突起部の数が１つであることから、小学生の子供にも、芯材の支柱部へのセットが容易となって、好ましい。
【００１１】
さらに、上記構成のマスコット作製玩具に、シート体を支柱部側に向かって移動させて縮径させるように、シート体における芯材の下端側に位置する領域の外周側を押え可能な押え部材を、配設させる構成とすれば、シート体の下端側の領域を押え部材によって押えることにより、この下端側の領域が周囲に広がるのを抑制できることから、紐状部材のシート体周囲への巻き付け作業や、紐状部材の両端相互の連結作業が、容易となって、好ましい。
【００１２】
さらにまた、上記構成のマスコット作製玩具において、押え部材を、
軸方向を支柱部に略沿わせるような略筒状としてシート体の外周側を覆い可能に構成される周壁と、周壁の上端側を塞ぐように配置されるとともにシート体を被せた状態の芯材を挿通可能な開口を有する構成の天井壁と、を有するカバー部と、
カバー部内における天井壁の下面近傍に配置される一対の挟持片部と、
を備える構成として、
各挟持片部を、
天井壁の下面側に隣接して配置されるとともに、略円弧状に湾曲して構成される押え片と、
押え片の元部側において、周壁の軸方向に沿って相互に重なるように配置されるとともに、周壁の軸方向に沿って配置される回動軸に軸支される軸支部と、
軸支部からカバー部外に突出するように延びる把持片と、
を備えて、
回動軸を中心として、先端を相互に離隔可能に回動可能とされるとともに、回動軸の周囲に配置される付勢手段により、先端相互を当接させるように付勢される構成として、
各押え片間の離隔距離を、先端相互を当接させた状態で、開口の幅寸法より小さくして、シート体の外周側を押え可能な寸法に設定され、把持片を把持して先端相互を離隔させた状態で、シート体を被せた状態の芯材を挿通可能な寸法に、設定した構成とすることが好ましい。
【００１３】
上記構成のマスコット作製玩具では、押え部材が、シート体の外周側を覆うカバー部と、カバー部内に配置される一対の挟持片部と、を備えていることから、押え片の先端相互を離隔させるように把持片を把持した状態の押え部材を、シート体を被せた状態の芯材の上方から被せるようにして、押え片間にシート体を被せた状態の芯材を挿通させつつ、カバー部における天井壁の開口に芯材を挿通させて、押え部材を下降移動させれば、シート体の外周側を全周にわたってカバー部により囲むことができ、押え片間に、シート体全体を介在させることができる。そして、押え部材を保持台の周囲に配置させた後に、把持片を離せば、シート体における芯材の下端近傍の部位が、押え片によって挟持されて、絞られることとなる。そして、カバー部は、周壁の上端側を塞ぐような天井壁を有していることから、この天井壁に手の一部を載せるようにして、紐状部材をシート体周囲に巻き付けることができ、紐状部材のシート体周囲への巻き付け作業や、紐状部材の両端相互の連結作業が、一層容易となる。
【００１４】
さらに、上記構成のマスコット作製玩具において、各押え片の内縁に、一部を部分的に内周側に向かって突出させるような凹凸を、連続的に略全周にわたって形成する構成とすれば、シート体を押え片によって挟持させた際に、この凹凸に沿って皺を寄せるようにして、シート体における芯材の下端近傍の部位を絞ることができる。すなわち、上記構成のマスコット作製玩具では、把持片から手を離せば、２つの押え片によりシート体が挟持されることとなって、シート体における芯材の下端近傍の部位に、簡便に、略均等なギャザーを寄せることができることから、小学生の子供にも、マスコットの胴体をきれいに作製することができて、好ましい。
【００１５】
本発明のマスコット作製玩具を用いて、てるてるぼうず形のマスコットを作製可能なマスコット作製キットとしては、
マスコット作製玩具と、芯材と、シート体と、紐状部材と、を備えるものを使用することができる。
【００１６】
そして、マスコット作製キットとしては、具体的には、芯材を、芯材本体と、芯材本体の下端側から下方に突出するように形成されて、下方を開口させた略円筒状の首部と、を有し、首部の内周側を、凹部として、支柱部に形成される突起部を挿入可能な構成とし、
首部の下端側に、外周側に向かって突出するフランジ部を、首部の周方向の全域にわたって、配置させる構成とすることが、好ましい。
【００１７】
上記構成のマスコット作製キットを使用すれば、凹部に突起を挿入させるようにして支柱部にセットされた状態の芯材の周囲に、シート体を被せた後、周囲にシート体を介在させた状態の首部の周囲に、紐状部材を巻き付ければよいことから、紐状部材のシート体への巻き付け作業を安定して行なうことができる。また、首部の下端側には、外周側に向かって突出するフランジ部が、形成されていることから、作製したマスコットを使用する際等において、シート体の周囲に巻き付けられた紐状部材が芯材から離れるように大きく下方移動することを抑制でき、マスコットの形が崩れてしまうことも、防止できる。
【００１８】
また、上記構成のマスコット作製キットにおいて、芯材において、支柱部に対して保持させた際における上端側に、シート体に形成される挿通孔に挿通可能な突出部を、配設させる構成とすれば、マスコットの作製時に、シート体が芯材に対して位置ずれすることを防止できて、好ましい。
【００１９】
そして、この突出部を、開口を有したリング状とすれば、ボールチェーンや、携帯電話のストラップ用の金具等をこの突出部に取り付けることもでき、作製したマスコットを、かばんや携帯電話につけて楽しむこともできて、好ましい。
【００２０】
さらにまた、上記構成のマスコット作製キットにおいて、芯材を、内部を中空として、開閉可能な構成とすれば、芯材の内部にチャーム等を入れることもできる。
【００２１】
さらにまた、上記構成のマスコット作製キットにおいて、紐状部材を、紐状体と、紐状体の両端側をそれぞれ係止可能とされる１枚の止め板と、を備える構成とし、
紐状体を、ゴム状弾性を有して伸縮可能とされる紐本体と、紐本体の両端側においてそれぞれ膨出するように配置される係止突起と、を有し、
止め板を、紐本体における係止突起近傍の両端側を、挿通可能な溝部を有し、溝部の周縁において、係止突起を係止可能な構成とすることが、好ましい。
【００２２】
上記構成のマスコット作製キットでは、伸縮性を有した紐本体を、シート体の周囲に巻き付けつつ、紐本体の両端側を、それぞれ、止め板に形成される溝部に挿通させて、溝部の周縁に、紐本体の両端側に配置される係止突起を係止させることにより、紐状体の両端側を相互に連結させる構成であることから、紐状部材の両端相互を結ぶ必要がなく、紐状部材の両端相互の連結作業が容易である。また、上記構成のマスコット作製キットでは、マスコットの作製後に、一方の係止突起を把持するようにして、紐本体を、溝部に沿って挿入方向と逆方向に移動させれば、止め板から紐本体を取り外すことができ、この取り外し作業も容易である。そして、この紐状体と止め板とは繰り返し使用することができることから、マスコットを、例えばシート体や他の付属品を変更して、何度も作製して楽しむことができる。また、上記構成のマスコット作製キットでは、止め板に装飾を施したり、止め板自体を、マスコットを装飾する装飾体とすることもできる。
【図面の簡単な説明】
【００２３】
【図１】本発明の一実施形態であるマスコット作製玩具の斜視図である。
【図２】図１のマスコット作製玩具の平面図である。
【図３】図２のIII−III部位の断面であり、併せて、保持台を押え部材に対して押し上げた後の状態も示す図である。
【図４】図２のIV−IV部位の断面であり、併せて、保持台を押え部材に対して押し上げた後の状態も示す図である。
【図５】図１のマスコット作製玩具の分解斜視図である。
【図６】図１のマスコット作製玩具における保持台の正面図である。
【図７】図１のマスコット作製玩具における押え部材の平面図である。
【図８】図７のVIII−VIII部位の断面図である。
【図９】図７のIX−IX部位の断面図である。
【図１０】図７の押え部材において、先端相互を離隔させるように押え片を開いた状態を示す底面図である。
【図１１】実施形態のマスコット作製玩具を使用してマスコットを作製可能なマスコット作製キットを構成する部品を並べた図である。
【図１２】マスコット作製キットにおける芯材の正面図である。
【図１３】図１２の芯材の縦断面図である。
【図１４】マスコット作製キットのシート体において、裏側を表す底面図と、正面図と、Ａ−Ａ部分の断面図である。
【図１５】マスコット作製キットにおいて、紐状部材を構成する止め板の平面図である。
【図１６】図１５の止め板の斜視図である。
【図１７】実施形態のマスコット作製玩具を使用してマスコットを作製する工程を説明する図である。
【図１８】実施形態のマスコット作製玩具を使用してマスコットを作製する過程を説明する図であり、図１７の後の工程を示す図である。
【図１９】実施形態のマスコット作製玩具を使用してマスコットを作製する過程を説明する図であり、図１８の後の工程を示す図である。
【図２０】実施形態のマスコット作製玩具を使用してマスコットを作製する過程を説明する図であり、図１９の後の工程を示す図である。
【図２１】マスコット作製時において、保持台に支持された芯材に被せられたシート体の周囲に押え部材を配置させた状態の概略縦断面図である。
【図２２】マスコット作製時において、保持台に支持された芯材に被せられたシート体の周囲に押え部材を配置させた状態の概略縦断面図である。
【図２３】図２２におけるXXIII−XXIII部位の概略断面図である。
【図２４】実施形態のマスコット作製玩具を使用して作製したマスコットを前方側から見た斜視図である。
【図２５】図２４のマスコットを後方側から見た斜視図である。
【図２６】図２４のマスコットの概略縦断面図である。
【発明を実施するための形態】
【００２４】
以下、本発明の一実施形態を図面に基づいて説明する。実施形態のマスコット作製玩具（以下、単に「作製玩具」と省略する）１は、てるてるぼうず形のマスコットＭを作製するためのもので、図１〜５に示すように、保持台３と、押え部材１２と、を備えて構成されている。実施形態の作製玩具１は、各部位を構成する基材を連結させるビス等の連結手段と、押え部材１２に配置される付勢手段としての後述するねじりコイルばね２０と、を除いては、全て合成樹脂製とされている。
【００２５】
なお、実施形態では、特に断らない限り、上下、左右の方向を、作製玩具１を水平面に略平行な設置面Ｇに設置した状態での上下、左右の方向として、説明をし、前後の方向に関しては、作製されたマスコットＭの顔Ｆ側を前方として、説明をする。
【００２６】
なお、てるてるぼうずとは、通常、円形や正方形等のシート体の中央側の部位を、頭部を構成する球形等の立体形状の芯材に被せ、芯材の下端付近でシート体を紐等で縛ることにより、作製されるもので、てるてるぼうず形とは、頭部の下方に、シート体の外周縁側の部位から形成されて下方に向けて末広がり状に広がる略円錐体等の錐体状の胴体を、配置させたような形状のことである。なお、実施形態のマスコットＭには、手足がないが、同様の構成の胴体からなるものであれば、手や足があるものも、てるてるぼうず形のマスコットに含めるものとする。
【００２７】
保持台３は、図６に示すように、設置面Ｇに設置可能な台座部４と、台座部４から上方に向かって突出するように延びる支柱部５と、を備えている。台座部４は、略円板状とされるもので、実施形態の場合、図３，４に示すように、押え部材１２における後述するカバー部１３の周壁１４に挿通可能に、外径寸法Ｄ１（図６参照）を、周壁１４の内径寸法ｄ１（図９参照）よりも若干小さく設定されている。
【００２８】
支柱部５は、実施形態の場合、図５，６に示すように、略円柱状として、軸心を、台座部４の中心と略一致させるようにして、台座部４から上方に向かって突出するように、配設されている。支柱部５は、外径寸法Ｄ２（図６参照）を、周囲を部分的にタックが寄せられたシート体４０に覆われた状態で、押え部材１２のカバー部１３に形成される開口１６に挿通可能なように、開口１６の内径寸法ｄ２（図７参照）よりも、小さく設定されている。また、実施形態の場合、支柱部５の高さ寸法（台座部４からの突出量）は、後述する突起部７により保持させた芯材３４の外周側を覆っているシート体４０を、端縁を下方に向けるように絞った際に、シート体４０の端縁を台座部４と接触させない程度の寸法に、設定されている（図２１，２２参照）。実施形態の場合、支柱部５は、上端５ａ側の領域を、上方に向かって縮径させるような略円錐台形状として、構成されている。この円錐台状部位６は、押え部材１２を、後述する周壁１４の下端１４ａを設置面Ｇに当接させるようにして、保持台３の周囲に配置させた際に、図３のＡ，図４のＡに示すように、押え部材１２のカバー部１３（天井壁１５）から上方に突出する部位である。
【００２９】
円錐台状部位６の上面６ａの略中央には、１つの略円柱状の突起部７が、軸心を、支柱部５の軸心（台座部４の中心）と略一致させるようにして、上方に向かって突出して形成されている。この突起部７は、円錐台状部位６の上面６ａより小径とされるもので、マスコットＭの頭部Ｈを構成する芯材３４に形成される凹部３８に挿入されて、芯材３４を保持させるための部位である。また、実施形態の支柱部５では、突起部７を凹部３８に挿入させた状態で、芯材３４における後述する首部３７の下端面３７ｂが、突起部７の周囲の円錐台状部位６の上面６ａに、当接されることとなる（図２１，２２参照）。さらに、実施形態では、円錐台状部位６の上面６ａの外径寸法は、図２１，２２に示すように、芯材３４における首部３７の下端側に形成されるフランジ部３７ａの外径寸法と、略同一として、構成されている。実施形態では、マスコットＭの作製時に、紐状部材４２（紐本体４４）の首部３７周囲への巻き付け作業を容易として、かつ、マスコットＭにおける紐状部材４２から下に延びる胴体Ｂの部位の外形をきれいな錐体状とできるように、支柱部５の上端５ａ側に、芯材３４を保持させる突起部７に向かって縮径する円錐台状部位６を配置させている構成である。
【００３０】
また、支柱部５において、円錐台状部位６の下方には、凹溝８が、形成されている（図６参照）。この凹溝８は、円錐台状部位６に隣接するように形成されるもので、支柱部５の外周面を、断面形状を略矩形状として、周方向の全周にわたって凹ませて形成されている。この凹溝８は、図３のＡ，図４のＡに示すように、周壁１４の下端１４ａを設置面Ｇに当接させるようにして、押え部材１２を保持台３の周囲に配置させた状態で、押え部材１２における各挟持片部２２の押え片２３に対応した位置に配置されるもので、押え片２３を挿入可能で、かつ、間にシート体４０を介在させた状態で内部に押え片２３を僅かに進入させることが可能なように、開口幅寸法Ｗ１（図６参照）を、押え片２３の板厚ｔ１（図９参照）より大きく設定されている。
【００３１】
さらに、支柱部５の下端側であって、台座部４との境界部位にも、凹溝９が、形成されている（図６参照）。凹溝９は、台座部４に隣接して、支柱部５の外周面を、断面形状を略矩形状として、周方向の全周にわたって凹ませて形成されている。この凹溝９も、押え片２３を挿入可能に、開口幅寸法Ｗ２を、押え片２３の板厚ｔ１より大きく設定されている。具体的には、この凹溝９は、凹み量を、凹溝８の凹み量と一致させて構成とされるとともに、開口幅寸法Ｗ２（図６参照）を、上述の凹溝８の開口幅寸法Ｗ１より小さくして、押え片２３の板厚ｔ１よりわずかに大きく、設定されている。
【００３２】
また、実施形態の支柱部５では、これらの凹溝８，９が配置される領域の外径寸法Ｄ３（図６参照）は、押え部材１２における閉じ状態の押え片２３，２３間の離隔距離Ｔ１（図７参照）より、僅かに小さく設定されている。すなわち、押え部材１２における各挟持片部２２は、これらの凹溝８，９に押え片２３を進入させるような位置に配置される場合、押え片２３，２３の先端２３ａ，２３ａ相互を当接させた閉じ状態Ｐ１で、配置されることとなる（図２〜４参照）。なお、上側の凹溝８においては、マスコット作製時に、押え片２３と凹溝８との間に、シート体４０が介在されることから、シート体４０を介在させた状態では、押え片２３，２３は、先端２３ａ，２３ａ相互を離隔させるような開き状態Ｐ２で、配置されることとなる（図２１，２２参照）。
【００３３】
押え部材１２は、カバー部１３と、カバー部１３内に配置される一対の挟持片部２２，２２と、挟持片部２２，２２を軸支する回動軸１８と、回動軸１８の外周側に配置される付勢手段としてのねじりコイルばね２０と、を備えて構成されている。
【００３４】
カバー部１３は、軸方向を支柱部５の軸方向（上下方向）に略沿わせるような略筒状とされるもので、実施形態の場合、略円筒状の周壁１４と、周壁１４の上端側を塞ぐように配置される天井壁１５と、を備えている。周壁１４は、内径寸法ｄ１（図９参照）を、保持台３における台座部４を挿通可能な寸法に設定されており、カバー部１３は、台座部４の周囲において周壁１４の下端１４ａを設置面Ｇに当接させるようにして、保持台３の周囲に配置される構成である（図３，４参照）。天井壁１５は、図５，７に示すように、中央に、中心を支柱部５の軸心（保持台３の中心）と略一致させた略円形の開口１６を、有している。換言すれば、天井壁１５は、略円環状とされている。この開口１６は、内径寸法ｄ２（図７参照）を、保持台３に保持されてシート体４０を被せられた状態の芯材３４を挿通可能な寸法に、設定されている。そして、カバー部１３は、保持台３の周囲に配置させた状態で、支柱部５における円錐台状部位６を、開口１６から上方に突出させるような高さ寸法に、設定されている（図３のＡ，図４のＡ参照）。
【００３５】
回動軸１８は、実施形態の場合、軸方向を周壁１４の軸方向（上下方向）に略沿わせるような略棒状として、図８に示すように、カバー部１３の側方に配置される回動軸収納部１９内に、配置されている。回動軸収納部１９は、図５，７に示すように、外形形状を略半円柱状として、カバー部１３から外方に突出するように形成されるもので、挟持片部２２に形成される後述する把持片２８を突出させるために、カバー部１３から離れた先端側に形成される開口部１９ａを除いて、回動軸１８の外周側を略全周にわたって覆っている。詳細に説明すれば、回動軸収納部１９は、回動軸１８の上方を覆う領域と、カバー部１３の外方において回動軸１８の側方を覆う領域と、を、カバー部１３と一体的にカバー部１３から連なるように構成し、回動軸１８の下方を覆う領域と、回動軸１８の側方における周壁１４の軸心側を覆う領域と、を、カバー部１３と別体の部材から構成している。そして、回動軸１８は、上下両端側を、回動軸収納部１９に連結させている。実施形態の場合、回動軸１８は、回動軸収納部１９において、回動軸１８の上側を覆う領域から下方に延びるように、回動軸収納部１９と一体的に形成されて、下端側を、回動軸収納部１９において回動軸１８の下側を覆う部材にビス止めされている。回動軸１８の外周側には、両端を各把持片２８に連結されるとともに、各把持片２８を相互に離隔（押え片２３の先端２３ａ相互を当接）させるように付勢している付勢手段としてのねじりコイルばね２０が、配設されている（図７，８参照）。
【００３６】
一対の挟持片部２２は、カバー部１３内における天井壁１５の下面近傍に配置されるもので、それぞれ、図７，８に示すように、天井壁１５の下面側に隣接して配置される押え片２３と、押え片２３の元部２３ｂ側において回動軸１８に軸支される軸支部２６と、軸支部２６から外方に突出するように延びる把持片２８と、を備えて構成されている。この挟持片部２２は、回動軸１８の外周側に配置されるねじりコイルばね２０により、押え片２３の先端２３ａ相互を当接させるような閉じ方向に付勢されて配置されるもので、通常状態では、押え片２３の先端２３ａ相互を当接させる閉じ状態Ｐ１として配置されるように構成されている。
【００３７】
各押え片２３は、図７に示すように、天井壁１５の開口１６の周縁に略沿うように、略半円弧状に湾曲した帯板状とされるもので、先端２３ａ相互を当接させた閉じ状態Ｐ１において、内縁２４を、全周にわたって天井壁１５における開口１６の周縁よりも内方に突出させるように、構成されている。各押え片２３の内縁２４は、実施形態の場合、略半楕円形状とされるとともに、一部を部分的に内周側に向かって突出させるような凹凸を、連続的に略全周にわたって、配置させている。具体的には、各押え片２３の内縁２４は、図７に示すように、略半楕円状の縁部を部分的に略半円弧状に切り欠く切欠部２４ａを、断続的に、配置させて、連続的な凹凸を有するように、構成されている。実施形態の場合、通常状態（閉じ状態Ｐ１）における各押え片２３の離隔距離Ｔ１（内縁２４相互の離隔距離、図７参照）は、天井壁１５の開口１６の内径寸法ｄ２の１／２程度に設定されている。また、押え片２３は、付勢手段としてのねじりコイルばね２０を圧縮させつつ、把持片２８の先端２８ａを相互に接近させれば、図１０に示すように、それぞれ、外縁側をカバー部１３における周壁１４の内周面に当接させるまで、先端２３ａ相互を離隔させるように開くことができる。そして、この開き状態Ｐ２では、各押え片２３は、内縁２４を部分的に僅かに、天井壁１５の開口１６の周縁より内側に突出させるのみである。すなわち、開き状態における各押え片２３の離隔距離Ｔ２（図１０参照）は、天井壁１５の開口１６の内径寸法ｄ２と略同一であり、シート体４０を被せられた状態の芯材３４を挿通可能な寸法に設定されている。
【００３８】
各軸支部２６は、図７，８に示すように、各押え片２３の元部２３ｂ側において、周壁１４の軸方向（上下方向）に沿って相互に重なるように配置されて、それぞれ、回動軸１８に軸支されている。詳細には、各軸支部２６は、回動軸収納部１９内に収納可能な平板状とされて、それぞれ、回動軸１８を挿通可能な挿通孔２６ａを、備える構成とされている。実施形態の場合、各軸支部２６は、回動軸収納部１９の上端近傍において、上下で相互に重なるように、配置されている。
【００３９】
各把持片２８は、軸支部２６から外方に突出しつつ下方に延びるように形成されるもので、図５に示すように、上下方向に略沿って配置される略長方形板状とされている。各把持片２８は、先端２８ａ相互を離隔させるように上方から見て略「ハ」字形状に、配置されている（図７参照）。そして、各把持片２８には、上述したごとく、回動軸１８の外周側に配置されるねじりコイルばね２０の両端が連結されており、把持片２８は、先端２８ａを相互に離隔させる方向（押え片２３の先端２３ａ相互を当接させる方向）側に、ねじりコイルばね２０により付勢されている。
【００４０】
実施形態の作製玩具１は、図３のＢ，図４のＢに示すように、各押え片２３を、支柱部５において下側に配置される凹溝９に進入させることにより、押え片２３により凹溝９周縁を係止させて、支柱部５をカバー部１３の天井壁１５から上方に大きく突出させた状態で固定することもできる。そして、この状態での作製玩具１を、作製したマスコットＭを机等の上に飾る飾り台として、使用することもできる。詳細に説明すれば、押え片２３により凹溝９周縁を係止させて、押え部材１２に対して固定させた状態の支柱部５の上端５ａ側の突起部７を、作製したマスコットＭの芯材３４の凹部３８に挿入させれば、マスコットＭを、カバー部１３の上に立たせるようにして、支柱部５に対して保持させることができる（図２０のＢ参照）。そして、実施形態の作製玩具１では、このような飾り台として使用することも考慮して、カバー部１３の外表面に、装飾を設けている。具体的には、実施形態の場合、図５に示すように、カバー部１３における天井壁１５の上面に、略半球状の突起が、放射状に設けられ、周壁１４の外表面に、略逆三角形状のレリーフが、連続的に、全周にわたって配置されている。
【００４１】
次に、実施形態の作製玩具１を用いて、てるてるぼうず形のマスコットＭを作製可能なマスコット作製キット（以下、単に「キット」と省略する）３１について、説明をする。キット３１は、作製玩具１と、図１１に示すマスコット用素材３３と、を備えて構成される。マスコット用素材３３は、マスコットＭの頭部Ｈを構成する芯材３４と、芯材３４を覆うシート体４０と、シート体４０を絞るための紐状部材４２と、芯材３４内部に収納するチャーム５２と、作製したマスコットＭに被せる頭飾り５４と、ボールチェーン５３と、を備えて構成されている。なお、図１１に示すマスコット用素材は、一例に過ぎず、マスコット用素材としては、構成する部材の組み合わせや数を適宜変更したものを使用することが可能である。
【００４２】
芯材３４は、透明な合成樹脂製とされるもので、実施形態の場合、図１２，１３に示すように、内部を中空とした略球形状とされるとともに、上下で二分割されて開閉可能なカプセル状として、構成されている。詳細には、芯材３４は、略球形状の芯材本体３５と、芯材本体３５の下端側から下方に突出するように形成される首部３７と、を備えている。芯材本体３５は、上下で２分割可能に構成されるもので、相互に係合可能な上側部位３５ａと下側部位３５ｂとから構成されている。
【００４３】
上側部位３５ａの中央（芯材本体３５における上端側）には、リング状の突出部３６が、上方に突出するように、形成されている。実施形態の場合、この突出部３６は、図１３に示すように、上側部位３５ａと一体的に形成されて、長手方向を上下方向に略沿わせた略長方形板状の部材に、長手方向を上下方向に略沿わせた略長円状の前後に貫通する開口３６ａを配設させて、構成されている。
【００４４】
首部３７は、図１２，１３に示すように、下側部位３５ｂの中央（芯材本体３５における下端側）において、下側部位３５ｂから下方に突出するように形成されるもので、下方を開口させた略円筒状とされるとともに、下端側に、外周側に向かって突出するフランジ部３７ａを、周方向の全域にわたって配置させている。実施形態では、この首部３７における内周側の領域が、作製玩具１における支柱部５の上端５ａ側に形成される突起部７を挿入させるための凹部３８を構成することとなる。凹部３８は、突起部７を挿入可能に、内径寸法ｄ３（図１３参照）を、突起部７の外径寸法Ｄ４（図６参照）より僅かに大きく設定されている。また、この凹部３８は、内径寸法ｄ３を、汎用の鉛筆の端部を挿入可能な寸法に、設定されている。さらに、この凹部３８は、深さを、突起部７の突出量より大きくして、突起部７を内部に挿入させるようにして、芯材３４を支柱部５に保持させた際に、首部３７の下端面３７ｂを、突起部７の周囲の円錐台状部位６の上面６ａに、当接させるように、構成されている（図２１，２２参照）。
【００４５】
シート体４０（４０Ａ，４０Ｂ）は、可撓性を有したシート材から構成されるもので、実施形態の場合、織布やフェルト地（不織布）等から構成されている。実施形態のマスコット用素材３３には、図１１に示すように、シート体４０（４０Ａ，４０Ｂ）は、２枚含まれている。各シート体４０Ａ，４０Ｂは、図１１，１４に示すように、それぞれ、外形形状を略円形として、略中央となる位置に、芯材３４に形成される突出部３６を挿通可能に略長方形状に開口した挿通孔４０ａを、配設させている。詳細には、実施形態のシート体４０（４０Ａ，４０Ｂ）は、略円形として、周縁に、全周にわたって小径の略半円形状のフリンジを、配置させている。このシート体４０は、中央側の領域によって、芯材３４の周囲を全周にわたってくるみ、この中央側の領域により、マスコットＭの頭部Ｈを構成し、芯材３４の下端付近で紐状部材４２によって絞られて、紐状部材４２より下方に位置する外周側の領域により、マスコットＭの胴体Ｂを構成することとなる。そして、実施形態の場合、シート体４０（４０Ａ，４０Ｂ）における中央付近には、マスコットＭの顔Ｆを構成する目や口が、予め印刷されている（図１１参照）。なお、シート体４０を構成する素材は織布や不織布に限られるものではなく、編布等の布帛、あるいは、皮革、合成皮革、軟質合成樹脂製のシート等、可撓性を有したシート材から構成することもできる。
【００４６】
また、シート体４０の外表面には、温度変化により色相や色調を変化可能なサーモクロミック材料や、光照射により色相や色調を変化可能なフォトクロミック材料、蓄光性材料を塗布して装飾を施してもよい。あるいは、サーモクロミック材料や、フォトクロミック材料、蓄光性材料を含有させた糸を使用して織成された織布や編布等の布帛によって、シート体４０を形成してもよい。
【００４７】
サーモクロミック材料としては、液晶、Ａｇ２ＨｇＩ４、Ｃｕ２ＨｇＩ４等、あるいは、電子供与性呈色性有機化合物と、電子受容性化合物と、両者の呈色反応を可逆的に生起させる有機化合物触媒と、の三成分を含む可逆熱変色性組成物を、使用することができる。
【００４８】
電子供与性呈色性有機化合物と、電子受容性化合物と、両者の呈色反応を可逆的に生起させる有機化合物触媒と、の三成分を含む可逆熱変色性組成物としては、例えば、特公昭５１−４４７０６号公報、特公昭５１−４４７０７号公報、特公平１−２９３９８号公報、特公平４−１７１５４号公報、特開平７−１７９７７７号公報、特開平７−３３９９７号公報、特開平８−３９９３６号公報等に記載された加熱消色型の可逆熱変色性組成物や、特公昭５１−４４７０６号公報、特開平１１−５９７３号公報、特開平１１−１２９６２３号公報、特開２００１−１０５７３２号公報、特開２００３−２５３１４９号公報に記載された加熱発色型の可逆熱変色性組成物を例示することができる。
【００４９】
また、可逆熱変色性組成物は、そのままの適用でも有効であるが、マイクロカプセルに内包したマイクロカプセル顔料として使用することが好ましく、マイクロカプセルに内包させて使用すれば、使用条件の変化による影響を受け難く、種々の使用条件においても、化学的や物理的な特性を安定させることができ、可逆熱変色性組成物を同一の組成に保つことができて、同一の作用効果を奏することができる。具体的には、マイクロカプセルに内包させる場合、マイクロカプセルとして、平均粒子径を、０．１〜５０μｍの範囲内、好ましくは０．５〜３０μｍの範囲内、より好ましくは１〜２０μｍの範囲内に、設定されたものを使用することが好ましい。このマイクロカプセルの粒子径及び粒度分布の測定は、レーザ回折／散乱式粒子径分布測定装置［（株）堀場製作所製；ＬＡ−３００］を用いて測定し、その数値を基に平均粒子径（メジアン径）を算出する。また、マイクロカプセル化の方法としては、従来より公知の界面重合法、ｉｎ  Ｓｉｔｕ重合法、液中硬化被覆法、水溶液からの相分離法、有機溶媒からの相分離法、融解分散冷却法、気中に懸濁被覆法、スプレードライイング法等があり、用途に応じて適宜選択できる。さらにマイクロカプセルの表面に、目的に応じてさらに二次的な樹脂皮膜を設けて耐久性を付与させたり、表面特性を改質させて使用することもできる。
【００５０】
シート体に可逆熱変色性を付与する場合、一例として、下記に示す布帛を使用することができる。目付量１２０ｇ／ｍ２の白色Ｔ／Ｃブロード生地表面に、可逆熱変色性材料として、青色から無色に変色する可逆熱変色性組成物をマイクロカプセルに内包させたマイクロカプセル顔料（変色温度：３０℃、平均粒子径：６μｍ）３０部、アクリル系エマルジョン樹脂５０部、増粘剤２部、レベリング剤０．５部、消泡剤０．５部、架橋剤５部を均一に分散させたインキを用いて、１２０メッシュのスクリーン版にてベタ印刷を行ない、乾燥、硬化させれば、可逆熱変色層を有した布帛を製造することができる。シート体として、このような布帛を使用すれば、２５℃の室温下では、可逆熱変色層に含まれる可逆熱変色性材料が青色に発色するため、シート体が青色となり、３５℃の室外では、可逆熱変色性材料が消色して、シート体が白色に変化することとなる。そして、再び２５℃の環境下で使用すれば、再び可逆熱変色性材料が青色に発色して、シート体が青色に変化することとなり、色調の変化を楽しむことができる。
【００５１】
また、シート体としては、上記と同様の白色の生地を用いて、使用者が、サーモクロミック材料を含有させたインキを収容した筆記具や、サーモクロミック材料を含有させたインキを収容したスタンプ、ステンシル等を使用して、自由に絵や記号等を描いて、楽しむような構成とすることも可能である。
【００５２】
フォトクロミック材料としては、スピロピラン系誘導体、フルギド系誘導体、ジヒドロピレン系誘導体、インジゴ系誘導体、アジリジン、多環芳香族系誘導体、アゾベンゼン系誘導体、サリチリデンアニリン系誘導体、キサンテン系誘導体、スピロオキサジン系誘導体、ジアリールエテン系誘導体、ナフトピラン系誘導体、ナフトオキサジン系誘導体等のフォトクロミック化合物を、例示することができる。このようなフォトクロミック化合物は、スチレン系オリゴマーに溶解して用いることが好ましく、スチレン系オリゴマーとしては、重量平均分子量が２００〜６０００の範囲内、好ましくは２００〜４０００の範囲内のものを使用する。スチレン系オリゴマーの重量平均分子量が２００未満の場合、含有モノマーが多くなり、安定性に欠けるため耐光性向上効果を発現し難くなるためであり、重量平均分子量が６０００を超えると、光照射により色残りが発生し、また、発色濃度が低くなって、変色感度が鈍くなるためである。なお、重量平均分子量は、ＧＰＣ法（ゲル浸透クロマトグラフ法）により測定する。また、スチレン系オリゴマーとしては、低分子量ポリスチレン、スチレン−α−メチルスチレン系共重合体、α−メチルスチレン重合体、α−メチルスチレンとビニルトルエンとの共重合体等を挙げることができる。
【００５３】
蓄光性材料としては、ＣａＳ／Ｂｉ系、ＣａＳｒＳ／Ｂｉ系、ＺｎＳ／Ｃｕ系、ＺｎＣｄｓ／Ｃｕ系、特開平７−１１２５０号公報に開示されているＳｒＡｌ２Ｏ４、Ｓｒ４Ａｌ１４Ｏ２５、或いは、ＣａＡｌ２Ｏ４にユウロピウム、ジスプロシウム、サマリウム等を賦活剤として添加したもの、特開平１０−１６８４４８号公報に開示されているＳｒ（ＡｌＢ）２Ｏ４；ＥｕＤｙ、Ｓｒ（ＡｌＢ）３Ｏ６；ＥｕＤｙ、或いは、Ｓｒ（ＡｌＢ）４Ｏ７；ＥｕＤｙ等を例示することができる。
【００５４】
また、シート体は、水が付着することにより色変化するように構成してもよく、詳細には、外表面に低屈折率顔料とバインダー樹脂を含有させて、吸水状態と非吸水状態で透明性を異にする多孔質層を設けることもできる。多孔質層とは、低屈折顔料をバインダー樹脂と共に分散状態に固着させた層であり、乾燥状態と吸水状態とで透明性が異なる層である。
【００５５】
低屈折率顔料としては、珪酸及びその塩、バライト粉、硫酸バリウム、炭酸バリウム、炭酸カルシウム、石膏、クレー、タルク、アルミナホワイト、炭酸マグネシウム等を挙げることができ、これらの低屈折率顔料を、１種又は２種以上を併用して使用することができる。これらの低屈折率顔料は、屈折率を１．４〜１．８の範囲に設定されており、吸水すると良好な透明性を示すものである。なお、上記珪酸の塩としては、珪酸アルミニウム、珪酸アルミニウムカリウム、珪酸アルミニウムナトリウム、珪酸アルミニウムカルシウム、珪酸カリウム、珪酸カルシウム、珪酸カルシウムナトリウム、珪酸ナトリウム、珪酸マグネシウム、珪酸マグネシウムカリウム等を挙げることができる。
【００５６】
低屈折率顔料は、バインダー樹脂を結合剤として含むビヒクル中に分散された状態で、支持体（カバー体）に塗布された後、揮発分を乾燥させれば、多孔質層を形成することとなる。バインダー樹脂としては、ウレタン系樹脂、ナイロン樹脂、酢酸ビニル樹脂、アクリル酸エステル樹脂、アクリル酸エステル共重合樹脂、アクリルポリオール樹脂、塩化ビニル−酢酸ビニル共重合樹脂、マレイン酸樹脂、ポリエステル樹脂、スチレン樹脂、スチレン共重合樹脂、ポリエチレン樹脂、ポリカーボネート樹脂、エポキシ樹脂、スチレン−ブタジエン共重合樹脂、アクリロニトリル−ブタジエン共重合樹脂、メタクリル酸メチル−ブタジエン共重合樹脂、ブタジエン樹脂、クロロプレン樹脂、メラミン樹脂、及び、各樹脂エマルジョン、カゼイン、澱粉、セルロース誘導体、ポリビニルアルコール、尿素樹脂、フェノール樹脂等を挙げることができる。
【００５７】
紐状部材４２は、図１１に示すように、紐状体４３と、紐状体４３の両端側をそれぞれ係止可能とされる１枚の止め板４７と、を備えている。紐状体４３は、ゴム状弾性を有して伸縮可能とされる紐本体４４と、紐本体４４の両端側においてそれぞれ膨出するように配置される係止突起４５，４５と、を備えている。紐本体４４としては、実施形態の場合、外表面を編地からなる伸縮自在の装飾布により覆われる汎用のゴム紐を、使用している。係止突起４５は、実施形態の場合、球形状として、紐本体４４の両端側に、それぞれ、連結されている。詳細には、係止突起４５は、外径寸法を、紐本体４４の両端側を止め板４７の溝部４８に挿通させて、溝部４８における後述する横溝４８ｂの両端周縁に、それぞれ、係止させた状態で、左右で連なって配置されるような寸法に、設定されている（図２５参照）。
【００５８】
止め板４７は、実施形態の場合、図１５，１６に示すように、広がった天使の羽を模した形状を有する左右に幅広とされるもので、左右の中央付近に、紐本体４４を挿通可能に止め板４７を切り欠いて構成される溝部４８を、備えている。溝部４８は、紐本体４４を上方から挿通可能に止め板４７の上縁側における左右の略中央から下方に向かって延びる縦溝４８ａと、縦溝４８ａの下端側から左右に分岐するように左右両側に向かって延びる横溝４８ｂと、を有し、横溝４８ｂの両端側の周縁で、紐状体４３の各係止突起４５，４５を係止させる構成である。すなわち、実施形態では、各係止突起４５，４５を先端側で係止させ、紐本体４４における係止突起４５近傍の両端を、それぞれ挿通可能とする二つのＬ字状若しくは逆Ｌ字状の溝が、縦溝４８ａを共用させるようにして、略逆Ｔ字形状の溝部４８を、構成している。また、止め板４７は、紐本体４４の挿入作業を容易とし、かつ、芯材３４の首部３７の部位でくびれているマスコットＭに沿わせやすいように、溝部４８の周囲を囲んで、かつ、前方（芯材側）に向かって突出するようなリブ４９を、左右の中央付近における上側の領域に、配設させている（図１５，１６参照）。
【００５９】
チャーム５２は、実施形態の場合、図１１に示すように、様々な色の立体的なハート型とされている。このチャーム５２は、色の持つ意味や効果を考慮して作製されたおまじないパーツであり、任意の数を、芯材３４内に収納して、マスコットＭを作製することができる。なお、チャーム５２の外形形状は、勿論ハート型に限られるものではない。ボールチェーン５３は、作製したマスコットＭをかばん等に取り付ける際に使用するもので、芯材３４の突出部３６に形成される開口３６ａに挿通可能とされている。
【００６０】
頭飾り５４は、作製したマスコットＭの頭部Ｈに載せて使用するもので、頭部Ｈに載置可能な略円板状とされて略中央に芯材３４の突出部３６を挿通可能な挿通孔５５ａを有する取付部５５と、取付部５５の周縁を全周にわたって囲む装飾部５６と、を備えている。なお、実施形態の場合、頭飾り５４の取付部５５に形成される挿通孔５５ａは、突出部３６を嵌合可能に、構成されている。実施形態のマスコット用素材３３では、図１０に示すように、頭飾り５４として、王冠形の頭飾り５４Ａと、花冠形の頭飾り５４Ｂと、リボン形の頭飾り５４Ｃと、の３種類が、含まれている。なお、頭飾り５４（５４Ａ，５４Ｂ，５４Ｃ）は、温度変化により色相や色調を変化可能なサーモクロミック材料や、光照射により色相や色調を変化可能なフォトクロミック材料から形成したり、表面に蓄光性材料を塗布してもよい。また、頭飾り５４を、水の付着時に色変化するように構成してもよい。頭飾り５４を構成するサーモクロミック材料やフォトクロミック材料、蓄光性材料等は、上述のシート体４０に用いられるものと同様のものを使用することができる。
【００６１】
次に、実施形態の作製玩具１を使用したマスコットＭの作製について、説明をする。まず、図１７のＡに示すように、上側部位３５ａと下側部位３５ｂとに分離させた状態の芯材本体３５の下側部位３５ｂを、首部３７に形成される凹部３８に、突起部７を挿入させるようにして、設置面Ｇに設置された状態の保持台３の支柱部５に保持させ、下側部位３５ｂの中にチャーム５２を入れる。次いで、上側部位３５ａを上方から被せて、下側部位３５ｂに係合させて、芯材３４を閉じ、突出部３６を挿通孔４０ａに挿通させるようにして、芯材３４に、シート体４０を被せる（図１７のＢ参照）。その後、把持片２８を、先端２８ａ相互を接近させるように把持して、押え片２３，２３を開かせた状態の押え部材１２を、図１８のＡに示すように、シート体４０の上方から、押え片２３，２３間と開口１６とに、シート体４０を被せられた状態の芯材３４を挿通させつつ、押え部材１２を、周壁１４の下端１４ａを設置面Ｇに当接させるようにして、保持台３の周囲に配置させる（図１８のＢ参照）。このとき、シート体４０は、支柱部５側に向かって移動するように、押え部材１２によって外周側を押えられて、縮径されている（図２１，２２参照）。また、このとき、押え片２３と支柱部５における凹溝８との間には、部分的に皺のよったシート体４０が介在されていることから、把持片２８から手を離した状態では、押え片２３，２３は、先端２３ａ，２３ａ相互を離隔させるように開いた、開き状態Ｐ２で配置されることとなり、また、シート体４０は、各押え片２３の内縁２４に形成される凹凸に沿って、皺を寄せるように絞られつつ、凹溝８内に進入した状態で、配置されることとなる（図２２参照）。
【００６２】
その後、図１９のＡ，Ｂに示すように、紐状部材４２における紐状体４３を、シート体４０を介在させた状態の首部３７の周囲に巻き付け、紐本体４４の両端側における係止突起４５近傍の部位を、止め板４７の溝部４８に挿通させて、各係止突起４５を、横溝４８ｂの両端側の周縁に係止させれば、紐状体４３の両端相互を止め板４７によって連結させることができて、紐状部材４２によって、シート体４０を芯材３４の下端付近となる首部３７の部位で絞ることができ、マスコットＭを作製することができる。
【００６３】
次いで、図２０のＡに示すように、台座部４を、カバー部１３の周壁１４に挿通させるように、上方に押し上げれば、押え片２３が、上昇移動する支柱部５によって相互に離隔されるように押し広げられることとなり、支柱部５とともに、作製されたマスコットＭが、開口１６を経て、上昇移動することとなる。そして、押え片２３を、凹溝９に進入させるまで、保持台３を押し上げれば、図２０のＢに示すように、マスコットＭ全体を、開口１６から上方に取り出すことができ、突起部７を凹部３８から外すようにして、マスコットＭを保持台３から取り外せば、マスコットＭの完成である。
【００６４】
このようにして作製したマスコットＭは、図２４〜２６に示すように、挿通孔５５ａに突出部３６を挿通させるようにして、頭部Ｈに頭飾り５４を、取り付けてもよく、また、突出部３６の開口３６ａに、ボールチェーン５３を挿通させて、かばん等に取り付けて使用することもできる。さらに、首部３７に形成される凹部３８に、図２６の二点鎖線に示すごとく、鉛筆ＰＥを挿入させて、鉛筆ＰＥに取り付けて楽しむこともできる。また、上述したごとく、押え片２３を凹溝９周縁に係止させるようにして、支柱部５をカバー部１３の天井壁１５から大きく上方に突出させた状態の作製玩具１の突起部７を、首部３７の凹部３８に挿入させるようにして、マスコットＭを、作製玩具１ごと、机等の上に飾って楽しむこともできる。
【００６５】
また、マスコットＭは、シート体４０と頭飾り５４との組み合わせパターンを変えることや、芯材３４内のチャーム５２を入れ替えることにより、何度も作製して楽しむことができる。
【００６６】
そして、実施形態の作製玩具１は、台座部４から上方に向かって延びる支柱部５を備え、支柱部５が、上端５ａ側で、マスコットＭの頭部Ｈを構成する芯材３４を着脱可能に保持する構成であることから、支柱部５の上端５ａ側に芯材３４を保持させた状態で、シート体４０を、芯材３４に被せ、芯材３４の下端付近でシート体４０を絞るように、紐状部材４２をシート体４０の周囲に巻き付けて両端側を相互に連結させ、シート体４０の下端側の領域で胴体Ｂを作製し、その後、芯材３４を支柱部５から取り外せば、てるてるぼうず形のマスコットＭを作製することができる。すなわち、実施形態の作製玩具１は、支柱部５に芯材３４を保持させておくことができることから、芯材３４の下端付近で、シート体４０の周囲に紐状部材４２を巻き付ける際に、芯材３４を手で持つ必要がなく、紐状部材４２のみを把持して作業すればよいことから、小学生でも、簡単に作業することができ、簡便に、てるてるぼうず形のマスコットＭを作製することができる。
【００６７】
したがって、実施形態の作製玩具１では、てるてるぼうず形のマスコットＭを簡便に作製することができる。
【００６８】
また、実施形態の作製玩具１では、支柱部５の上端５ａ側に、芯材３４に形成される１つの凹部３８に挿入可能に上方に突出する１つの突起部７を、配置させていることから、芯材側に突起を設けて支柱部側に凹部を設ける場合と比較して、芯材３４を支柱部５にセットする際に、支柱部５の突起部７を視認しやすく、また、突起部７の数が１つであることから、小学生の子供にも、芯材３４の支柱部５へのセットが容易である。勿論、このような点を考慮しなければ、芯材側に突起を設けて支柱部側に凹部を設ける構成としてもよく、また、これらの凹部と突起部とを複数個ずつ設ける構成としてもよい。
【００６９】
さらに、実施形態の作製玩具１は、シート体４０における芯材３４の下端側に位置する領域の外周側を押え可能な押え部材１２を、備えていることから、マスコット作製時に、シート体４０の下端側の領域（マスコットＭの胴体Ｂを構成する領域）を押え部材１２によって押えることにより、この下端側の領域が周囲に広がるのを抑制できて、紐状部材４２のシート体４０周囲への巻き付け作業や、紐状部材４２の両端相互の連結作業が、容易となる。勿論、このような点を考慮しなければ、作製玩具を、押え部材を備えず、保持台のみから構成してもよい。
【００７０】
さらにまた、実施形態の作製玩具１では、押え部材１２が、シート体４０の外周側を覆うカバー部１３と、カバー部１３内に配置される一対の挟持片部２２と、を備えていることから、押え片２３の先端２３ａ相互を離隔させるように把持片２８を把持した状態の押え部材１２を、シート体４０を被せた状態の芯材３４の上方から被せるようにして、押え片２３間にシート体４０を被せた状態の芯材３４を挿通させつつ、カバー部１３における天井壁１５の開口１６に芯材３４を挿通させて、押え部材１２を下降移動させれば、シート体４０の外周側を全周にわたってカバー部１３により囲むことができ、押え片２３間に、シート体４０全体を介在させることができる。そして、押え部材１２を保持台３の周囲に配置させた後に、把持片２８を離せば、シート体４０における芯材３４の下端近傍の部位が、押え片２３によって挟持されて、絞られることとなる。そして、カバー部１３は、周壁１４の上端側を塞ぐような天井壁１５を有していることから、この天井壁１５に手の一部を載せるようにして、紐状部材４２をシート体４０周囲に巻き付けることができ、紐状部材４２のシート体４０周囲への巻き付け作業や、紐状部材４２の両端相互の連結作業が、一層容易となる。勿論、このような点を考慮しなければ、押え部材として、カバー部のみから構成されるもの、あるいは、回動軸により相互に回動可能に軸支される一対の挟持片部のみから構成されるものを、使用してもよい。また、押え部材をカバー部のみから構成する場合、天井壁を備えず、周壁のみからなるような構成のものを使用してもよい。
【００７１】
特に、実施形態の作製玩具１では、保持台３における支柱部５に、上下に２つの凹溝８，９が、形成され、これらの凹溝８，９は、開口１６から支柱部５の上端側を突出させるようにして、保持台３の周囲に押え部材１２を配置させた状態で、押え部材１２における押え片２３，２３を内部に進入させて、押え片２３，２３により周縁を係止可能な構成としている。そのため、実施形態の作製玩具１は、不使用時に、上側の凹溝８に各押え片２３，２３を進入させて、押え片２３により凹溝８周縁を係止させつつ、開口１６から支柱部５の上端側を突出させるようにして、保持台３の周囲に押え部材１２を配置させておけば、押え部材１２と保持台３とがばらばらにならず、また、作製玩具１をコンパクトに収納させておくことができる。また、下側の凹溝９に各押え片２３，２３を進入させて、押え片２３により凹溝９周縁を係止させて、支柱部５を、カバー部１３の天井壁１５（開口１６）から上方に大きく突出させれば、作製したマスコットＭを机の上等に飾る飾り台としても、使用することができる。
【００７２】
さらに、実施形態の作製玩具１では、各押え片２３の内縁２４に、一部を部分的に内周側に向かって突出させるような凹凸を、連続的に略全周にわたって形成していることから、シート体４０を押え片２３によって挟持させた際に、この凹凸に沿って皺を寄せるようにして、シート体４０における芯材３４の下端近傍の部位を絞ることができる。すなわち、実施形態の作製玩具１では、把持片２８から手を離せば、２つの押え片２３，２３によりシート体４０全体が挟持されることとなって、シート体４０における芯材３４の下端近傍の部位に、簡便に、略均等なギャザーを寄せることができることから、小学生の子供にも、マスコットＭの胴体Ｂをきれいに作製することができる。勿論、このような点を考慮しなければ、押え片の内縁は、凹凸を備えないなだらかな円弧状としてもよい。
【００７３】
また、実施形態の作製玩具１を用いてマスコットＭを作製するキット３１を構成する芯材３４は、芯材本体３５と、芯材本体３５の下端側から延びて下方を開口させた略円筒状の首部３７と、を備えて、首部３７の内周側を、凹部３８として、支柱部５に形成される突起部７を挿入可能な構成としている。そのため、凹部３８に突起部７を挿入させるようにして支柱部５にセットされた状態の芯材３４の周囲に、シート体４０を被せた後、周囲にシート体４０を介在させた状態の首部３７の周囲に、紐状部材４２を巻き付ければよいことから、芯材が首部を備えない場合と比較して、紐状部材４２のシート体４０への巻き付け作業を安定して行なうことができる。また、首部３７の下端側には、外周側に向かって突出するフランジ部３７ａが、形成されていることから、作製したマスコットＭを使用する際等において、シート体４０の周囲に巻き付けられた紐状部材４２が芯材３４から離れるように、大きく下方移動することを抑制でき、マスコットＭの形が崩れてしまうことも、防止できる。勿論、このような点を考慮しなければ、芯材として、首部を備えず、突起部を挿入させる凹部を、外周面を凹ませるようにして、形成したものを、使用してもよい。
【００７４】
また、実施形態のキット３１では、芯材３４に、シート体４０に形成される挿通孔４０ａに挿通可能な突出部３６を、配設させていることから、マスコットの作製時に、シート体４０が芯材３４に対して位置ずれすることを防止できる。また、実施形態では、この芯材３４の突出部３６を、開口３６ａを有したリング状としていることから、ボールチェーン５３や、携帯電話のストラップ用の金具等をこの突出部３６に取り付けることもでき、作製したマスコットＭを、かばんや携帯電話につけて楽しむこともできる。勿論、このような点を考慮しなければ、芯材に突出部を設けなくともよい。また、突出部を設ける場合にも、ボールチェーン等を取り付けることを考慮しなければ、開口を備えない単なる装飾用の部材として、突出部を形成してもよい。
【００７５】
さらにまた、実施形態のキット３１では、芯材３４を、内部を中空として、開閉可能な構成としていることから、芯材３４の内部にチャーム５２等を入れることもできる。実施形態のように、おまじないパーツであるチャーム５２を入れてマスコットＭを作製すれば、おまじない効果も期待できる。また、チャームに限らず、例えば、芯材内に、かわいらしい音の出る鈴等を入れることもできる。勿論、このような点を考慮しなければ、芯材として、中空であっても開閉できない構成のものや、あるいは、中実のものを使用してもよい。
【００７６】
なお、実施形態では、芯材３４は、略球形状とされているが、芯材の外形形状は、これに限られるものではなく、例えば、長円形状や、丸みを帯びた立方体上や角柱状、あるいは、角錐状等、任意の形とすることができる。また、実施形態では、芯材３４は、透明な合成樹脂から構成されているが、勿論、不透明な合成樹脂から構成してもよい。また、シート体４０も、実施形態では、円形として、周縁に、小径の半円形のフリンジを連続的に配置させているが、シート体の外形形状はこれに限られるものではなく、単なる円形や、多角形状等、任意の形にすることができ、また、周縁に様々なフリンジを連続的に配置させた構成のものも使用できる。さらに、実施形態では、シート体４０に、予め、マスコットＭの顔Ｆを構成する目や口が、予め印刷されているが、勿論、シート体に、目や口を印刷せず、作製者が好きな目や口を描けるようにしてもよい。
【００７７】
さらにまた、実施形態のキット３１では、紐状部材４２が、伸縮性を有した紐本体４４の両端側に係止突起４５を配置させた紐状体４３と、紐状体４３の両端側を係止させる止め板４７と、を備える構成とされており、伸縮性を有した紐本体４４を、シート体４０の周囲に巻き付けつつ、紐本体４４の両端側を、それぞれ、止め板４７に形成される溝部４８に挿通させて、溝部４８における横溝４８ｂの両端側の周縁に、紐本体４４の両端側に配置される係止突起４５を係止させることにより、紐状体４３の両端側を相互に連結させる構成であることから、紐状部材４２の両端相互を結ぶ必要がなく、紐状部材４２の両端相互の連結作業が容易である。また、実施形態のキット３１では、マスコットの作製後に、一方の係止突起４５を把持するようにして、紐本体４４を、溝部４８に沿って挿入方向と逆方向に移動させれば、止め板４７から紐状体４３を取り外すことができ、この取り外し作業も容易である。そして、この紐状体４３と止め板４７とは繰り返し使用することができることから、マスコットＭを、例えばシート体や他の付属品を変更して、何度も作製して楽しむことができる。勿論、このような点を考慮しなければ、紐状部材として、単にゴム状弾性を有した紐や、ゴム状弾性を備えない天然繊維や合成繊維等からなる糸や紐等、あるいは、針金等の紐状の部材のみからなるものを使用してもよい。
【００７８】
そして、実施形態のキット３１では、紐状部材４２が止め板４７を使用する構成であることから、止め板４７に装飾を施したり、止め板４７自体を、マスコットＭを装飾する装飾体とすることもできる。実施形態では、止め板４７自体を、広がった天使の羽を模した形状として、マスコットＭを装飾する装飾体としている。なお、止め板の外形形状は、実施形態に限られるものではなく、例えば、広がった蝶の羽等を模した形状や、結んだリボンを模した形状等としてもよい。勿論、止め板を、単なる楕円形状等として、模様等の装飾を施してもよい。さらに、紐状体の両端側に形成される係止突起の外形形状も、球形状に限らず、ハート型やダイヤ型等、任意の形にすることができる。
【符号の説明】
【００７９】
１…マスコット作製玩具（作製玩具）、３…保持台、４…台座部、５…支柱部、５ａ…上端、７…突起部、１２…押え部材、１３…カバー部、１４…周壁、１５…天井壁、１６…開口、１８…回動軸、２０…ねじりコイルばね（付勢手段）、２２…挟持片部、２３…押え片、２３ａ…先端、２３ｂ…元部、２４…内縁、２６…軸支部、２８…把持片、３１…マスコット作製キット（キット）、３４…芯材、３５…芯材本体、３６…突出部、３７…首部、３７ａ…フランジ部、３８…凹部、４０（４０Ａ，４０Ｂ）…シート体、４０ａ…挿通孔、４２…紐状部材、４３…紐状体、４４…紐本体、４５…係止突起、４７…止め板、４８…溝部、Ｈ…頭部、Ｍ…マスコット。
【図１】
2013085720.tif 000003
【図２】
2013085720.tif 000004
【図３】
2013085720.tif 000005
【図４】
2013085720.tif 000006
【図５】
2013085720.tif 000007
【図６】
2013085720.tif 000008
【図７】
2013085720.tif 000009
【図８】
2013085720.tif 000010
【図９】
2013085720.tif 000011
【図１０】
2013085720.tif 000012
【図１１】
2013085720.tif 000013
【図１２】
2013085720.tif 000014
【図１３】
2013085720.tif 000015
【図１４】
2013085720.tif 000016
【図１５】
2013085720.tif 000017
【図１６】
2013085720.tif 000018
【図１７】
2013085720.tif 000019
【図１８】
2013085720.tif 000020
【図１９】
2013085720.tif 000021
【図２０】
2013085720.tif 000022
【図２１】
2013085720.tif 000023
【図２２】
2013085720.tif 000024
【図２３】
2013085720.tif 000025
【図２４】
2013085720.tif 000026
【図２５】
2013085720.tif 000027
【図２６】
2013085720.tif 000028